(57)【要約】【課題】下ケース側の収納凹所上に光学部品を収納してから上ケースにより蓋をするタイプの光学部品梱包ケースを複数個積み重ねることによって圧力が加わった場合においても、光学部品収納空間に対してこれを変形させるに足る大きな加圧力が加わることをなくした光学部品梱包ケースを提供する。【解決手段】上面に光学部品収納凹所４を備えた収納領域３、及び収納領域の外周に連設された外周領域１０を有した下ケース２と、下ケース上に積層されることにより収納領域を覆う収納領域被覆領域２１、及び外周領域を覆う外周領域被覆領域２５を有した上ケース２０と、を備えた光学部品梱包ケース１であって、下ケースの収納領域内であって光学部品収納凹所を回避した位置に光学部品収納凹所の下方への突出長を超えた下方への突出長を備えた下リブ３０を設けると共に、上ケースの収納領域被覆領域内の下リブと対応する位置に上方へ突出した上リブ４０を備えていることを特徴とする光学部品梱包ケース。【選択図】図１
2007217027.tif 000002
【特許請求の範囲】
【請求項１】
上面に光学部品収納凹所を備えた収納領域、及び該収納領域の外周に連設された外周領
域を有した下ケースと、該下ケース上に積層されることにより前記収納領域を覆う収納領
域被覆領域、及び前記外周領域を覆う外周領域被覆領域を有した上ケースと、を備えた光
学部品梱包ケースであって、
前記下ケースの収納領域内であって前記光学部品収納凹所を回避した位置に前記光学部
品収納凹所の下方への突出長を超えた下方への突出長を備えた下リブを設けると共に、前
記上ケースの収納領域被覆領域内の前記下リブと対応する位置に上方へ突出した上リブを
備えていることを特徴とする光学部品梱包ケース。
【請求項２】
前記下ケースの収納領域の中央部、及び／或いは、その他の位置に、前記下リブを設け
たことを特徴とする請求項１に記載の光学部品梱包ケース。
【請求項３】
前記下リブ、及び前記上リブの平面形状は、十字形、Ｌ字形、Ｙ字状、Ｗ字状、Ｖ字状
、直線状、ジグザグ状、或いは曲線状であることを特徴とする請求項１又は２に記載の光
学部品梱包ケース。
【請求項４】
前記上ケースの収納領域被覆領域内には前記光学部品収納凹所と対応した位置関係にて
光学部品収納凸所が設けられ、前記上リブの上方への突出長は該光学部品収納凸所の上方
への突出長よりも大きいことを特徴とする請求項１、２又は３に記載の光学部品梱包ケー
ス。
【請求項５】
前記下ケースの外周領域内に前記光学部品収納凹所の下方への突出長を超えた下方への
突出長を備えた下リブを設けると共に、前記上ケースの外周領域被覆領域内の前記下リブ
と対応する位置に上方へ突出した上リブを備えていることを特徴とする請求項１乃至４の
何れか一項に記載の光学部品梱包ケース。
【請求項６】
上面に光学部品収納凹所を備えた収納領域、及び該収納領域の外周に連設された外周領
域を有した下ケースと、該下ケース上に積層されることにより前記収納領域を覆う収納領
域被覆領域、及び前記外周領域を覆う外周領域被覆領域を有した上ケースと、を備えた光
学部品梱包ケースであって、
前記下ケースの外周領域内に前記光学部品収納凹所の下方への突出長を超えた下方への
突出長を備えた下リブを設けると共に、前記上ケースの外周領域被覆領域内の前記下リブ
と対応する位置に上方へ突出した上リブを備えていることを特徴とする光学部品梱包ケー
ス。
【請求項７】
前記下ケースの外周領域に、連続的に、或いは断続的に前記下リブを設けたことを特徴
とする請求項５又は６に記載の光学部品梱包ケース。
【請求項８】
前記下ケースと前記上ケースは同一形状であることを特徴とする請求項１乃至７の何れ
か一項に記載の光学部品梱包ケース。
【発明の詳細な説明】
【技術分野】
【０００１】
本発明は、光学部品を十分な緩衝性を確保しつつ方向性よく整列保持して、次工程へ移
送したり、或いはアッセンブリメーカーに提供することを可能とした光学部品梱包ケース
の改良に関し、特に複数の梱包ケースを積み重ねること等によって梱包ケースの部品収納
空間が加圧変形して収納した光学部品が収納空間内壁との間で摺擦したり、或いは収納方
向が変化する不具合を防止できるようにした光学部品梱包ケースに関する。
【背景技術】
【０００２】
光ピックアップ、その他の光学装置に使用される光学部品としてのビームスプリッタや
プリズム等の光学部品は、小型化の要請によって数ｍｍ角の微小寸法に構成されているが
、サイズの大小を問わず、光学部品は衝撃による損傷や、ゴミ等の異物付着による不良品
化を防止するために、その取扱いには最大限の配慮が必要である。例えば、光学部品メー
カーが製造した光学部品をアッセンブリメーカー側に運搬する場合には、運搬中に衝撃や
振動が加わった場合の耐衝撃性、ゴミ等の付着防止等を考慮した梱包ケースが用いられ、
この種の梱包ケースは従来から種々提案されている。
特許文献１には、上面に設けた複数の光学部品収納凹所内に部品を収納した複数の樹脂
製トレーを上下方向に多段に積み重ねるようにした構成が開示されている。
【０００３】
このように樹脂製トレーを多段に積層した状態で保管したり、運搬する場合には、個々
のトレーを構成する収納凹所に上下方向から外圧が加わることが多々ある。収納凹所に外
圧が加わると収納凹所が変形して収納した光学部品と収納凹所内壁との間の空間が拡大し
て光学部品の固定状態が解消して不安定な状態となり、光学部品が収納凹所内で回転した
り、振動することにより収納凹所内壁との間で摺擦が発生する。その結果、光学部品に欠
けやこすれが発生したり、光学部品の鋭利な部分により収納凹所内壁が削られることによ
って発生した樹脂粉、ゴミが光学部品に付着するという不具合が発生する。更に、特定の
光学面や非光学面の方向や位置を外観上から判別できない光学部品を収納凹所内に収納す
る際には、予め全ての光学部品が同じ方向、同じ姿勢となるように収納することにより、
光学部品をトレーから取り出す際に、光学部品の光学面、或いは非光学面の位置、方向を
容易に確認できるようにするのが一般であるが、収納凹所が変形すると、収納されている
光学部品の方向が変化してしまい、光学部品を取出してから実機に組み付ける際に組み付
け方向を誤ってしまうという事態が生じる。
【０００４】
図４はこのような従来例における不具合を説明するための断面図である。（ａ）はトレ
ー１０１と蓋１０２とから成る梱包ケース１００を複数個積み重ねた状態を示している。
樹脂製薄板から成るトレー１０１は光学部品１０６を収納するための収納凹所１０１ａを
複数有すると共に外周縁部には上向きに突出したリブ１０１ｂを有している。蓋１０２は
収納凹所１０１ａ内の光学部品１０６を覆うための凸所１０５ａを有すると共に、外周縁
部にはトレー１０１のリブ１０１ｂと嵌合するための上向きに突出したリブ１０５ｂを有
している。凹所１０１ａと凸所１０５ａとにより収納空間Ｓを形成している。
このように複数の梱包ケース１００を積み重ねた状態においては、上下位置関係にある
収納空間Ｓの間には適正なギャップＧが形成されている。
【０００５】
しかし、これらの梱包ケースに対して、上方、或いは下方から外圧が加わった場合には
図４（ｂ）のように梱包ケース１００が変形して歪みを起こし、梱包ケース間のギャップ
Ｇに変化が起きる。すると、一部の収納空間Ｓ内においては光学部品１０６と収納空間内
壁との間の隙間が拡大し、収納空間内で光学部品が回転して収納方向が変化したり、光学
部品の角部が収納空間内壁と摺擦して欠損したり、或いは収納空間内壁を切削してゴミを
発生させることが多々あった。また、他の収納空間Ｓは潰されることにより、光学部品１
０６が収納空間内壁により圧迫されて角部等の欠損、摺擦による損傷を起こしたり、収納
空間内壁の切削によりゴミが発生するという問題が生じる。
【０００６】
これに対して特許文献２には、収納凹所内に収納される光学部品の適所を両面接着テー
プによって接着保持することにより振動、衝撃が加わった場合における光学部品の遊動を
防止するための光学部品用梱包ケースが開示されている。しかし、このように構成したと
しても、複数の梱包ケースを積み重ねた場合のように積層方向から光学部品収納凹所に外
圧が加わる場合には、収納凹所が変形して収納凹所内壁と光学部品との間の摺擦が発生し
て光学部品の破損、収納凹所内壁と光学部品との摺擦による樹脂粉やゴミの発生という問
題が起きる。
【０００７】
【特許文献１】特開２００３−１５５０９１公報
【特許文献２】特開２０００−２９６８９４公報
【発明の開示】
【発明が解決しようとする課題】
【０００８】
このように、下ケース側の収納凹所上に光学部品を収納してから上ケースにより蓋をす
るタイプの光学部品梱包ケースにおいては、同形状の梱包ケースを複数個積み重ねた場合
などのように光学部品収納空間に対して上下方向から圧力が加わる場合に収納空間内壁を
構成している樹脂板が変形、歪みを起こし、収容した光学部品が遊動して収納空間内壁と
摺擦して破損したり、収納空間内壁から樹脂ゴミを発生させたり、或いは光学部品の収納
姿勢、収納方向に変化が起きるという不具合があった。仮に、両面接着テープ等を用いて
光学部品を収納空間内に固定したとしても、加圧によって梱包ケース自体が変形して収納
空間が歪みを起こすと、光学部品と収納空間との摺擦、衝突による不具合を回避すること
は困難となる。
【０００９】
本発明は上記に鑑みてなされたものであり、下ケース側の収納凹所上に光学部品を収納
してから上ケースにより蓋をするタイプの光学部品梱包ケースを複数個積み重ねることに
よって圧力が加わった場合においても、光学部品収納空間に対してこれを変形させるに足
る大きな加圧力が加わることをなくした光学部品梱包ケースを提供することを目的として
いる。
【課題を解決するための手段】
【００１０】
上記課題を解決するため、本発明に係る光学部品梱包ケースは、上面に光学部品収納凹
所を備えた収納領域、及び該収納領域の外周に連設された外周領域を有した下ケースと、
該下ケース上に積層されることにより前記収納領域を覆う収納領域被覆領域、及び前記外
周領域を覆う外周領域被覆領域を有した上ケースと、を備えた光学部品梱包ケースであっ
て、前記下ケースの収納領域内であって前記光学部品収納凹所を回避した位置に前記光学
部品収納凹所の下方への突出長を超えた下方への突出長を備えた下リブを設けると共に、
前記上ケースの収納領域被覆領域内の前記下リブと対応する位置に上方へ突出した上リブ
を備えていることを特徴とする。
下ケースの収納領域内には下方へ突出する下リブを設けると共に、この下リブと対応し
た上ケースの適所には上方へ突出する上リブを設けたので、同形状の梱包ケースを積み重
ねた場合には上側の梱包ケースの下リブと下側の梱包ケースの上リブとが当接して荷重を
受けることができる。このため、上下方向から荷重が加わっても光学部品を収納する領域
が上下方向に撓むことがなくなり、上下リブよりも退避した位置にある光学部品収納空間
の変形による光学部品へのダメージや収納空間内壁からのゴミの発生といった不具合が解
消される。つまり、複数の光学部品収納空所が設けられた領域内に、収納空所と近接して
下リブと上リブからなる緩衝突起を設けたので、加圧による収納空所の変形を確実に防止
できる。
【００１１】
また、本発明に係る光学部品梱包ケースは、前記下ケースの収納領域の中央部、及び／
或いは、その他の位置に、前記下リブを設けたことを特徴とする。
下リブと上リブとは対応した上下位置関係にあるため、下リブの形成位置と上リブの形
成位置はほぼ同等である。但し、両者の平面形状が常に完全一致する必要はない。
また、本発明に係る光学部品梱包ケースでは、前記下リブ、及び前記上リブの平面形状
は、十字形、Ｌ字形、Ｙ字状、Ｗ字状、Ｖ字状、直線状、ジグザグ状、或いは曲線状であ
ることを特徴とする。
下リブ及び上リブから成る緩衝手段は、光学部品収納空間の近傍に配置されることによ
り緩衝機能を発揮させるのが目的であるから、その形状、個数等に制限はない。
【００１２】
また、本発明に係る光学部品梱包ケースは、前記上ケースの収納領域被覆領域内には前
記光学部品収納凹所と対応した位置関係にて光学部品収納凸所が設けられ、前記上リブの
上方への突出長は該光学部品収納凸所の上方への突出長よりも大きいことを特徴とする。
収納領域被覆領域は平坦面であってもよいが、収納凹所の形状、深さによっては光学部
品の上部が上方に突出することがあるので、この突出部を覆うために上ケース側にも凸所
を設ける必要があるからである。収納凹所と収納凸所は、収納空間を構成する。
また、本発明に係る光学部品梱包ケースは、前記下ケースの外周領域内に前記光学部品
収納凹所の下方への突出長を超えた下方への突出長を備えた下リブを設けると共に、前記
上ケースの外周領域被覆領域内の前記下リブと対応する位置に上方へ突出した上リブを備
えていることを特徴とする。
収納空間が設けられた収納領域のみならず、外周領域にも下リブを設けると共に、外周
領域と対応した上ケース側の外周領域被覆領域内にもこの下リブと対応した位置関係にあ
る上リブを設けることにより、外周側においても緩衝機能を発揮することが可能となる。
【００１３】
また、本発明に係る光学部品梱包ケースは、上面に光学部品収納凹所を備えた収納領域
、及び該収納領域の外周に連設された外周領域を有した下ケースと、該下ケース上に積層
されることにより前記収納領域を覆う収納領域被覆領域、及び前記外周領域を覆う外周領
域被覆領域を有した上ケースと、を備えた光学部品梱包ケースであって、前記下ケースの
外周領域内に前記光学部品収納凹所の下方への突出長を超えた下方への突出長を備えた下
リブを設けると共に、前記上ケースの外周領域被覆領域内の前記下リブと対応する位置に
上方へ突出した上リブを備えていることを特徴とする。
収納空間を配置する中央部の外周側にのみ下リブと上リブからなる緩衝手段を設けるこ
とによっても上下方向からの加圧力に対する有効な緩衝機能を発揮させることが可能であ
る。
【００１４】
また、本発明に係る光学部品梱包ケースは、前記下ケースの外周領域に、連続的に、或
いは断続的に前記下リブを設けたことを特徴とする。
下ケースの外周領域に設ける下リブを非連続的に設けることにより、これと対応した位
置関係にある上リブも同様に非連続的に構成することができる。
また、本発明に係る光学部品梱包ケースは、前記下ケースと前記上ケースは同一形状で
あることを特徴とする。
下ケースと上ケースを全く同一形状とすることにより、同一金型を使用した製造が可能
となるため、コストダウンを図る上で有効となる。
【発明を実施するための最良の形態】
【００１５】
以下、本発明を図面に示した実施の形態により詳細に説明する。
図１（ａ）は本発明の一実施形態に係る光学部品梱包ケースの構成を示す平面図、（ｂ
）はＸ−Ｘ断面図であり、図２は下ケースの平面図（内面図）であり、図３は複数の梱包
ケースを積層した状態を示す断面図である。
この光学部品梱包ケース（以下、梱包ケース、という）１は、上面に光学部品Ａを収納
する光学部品収納凹所（以下、収納凹所、という）４を備えた収納領域３、及び収納領域
３の外周縁に連設された外周領域１０を有した下ケース２と、下ケース２上に積層される
ことにより収納領域３を覆う収納領域被覆領域２１、及び外周領域１０を覆う外周領域被
覆領域２５を有した上ケース２０と、を備えている。
この実施形態では下ケース２と上ケース２０は夫々樹脂製薄板から成る射出成形品であ
り、しかも同一形状、同一サイズであるため、相互に互換使用が可能であり、また同一の
成形金型により製造することができる。なお、収納する光学部品の形状、寸法によっては
両ケース２、２０の形状（特に収納凹所４と、上ケース２０側の収納凸所２２の形状）が
異なる場合もあるが、ここでは下ケースと上ケースとが同一形状である例を中心として説
明する。
【００１６】
本発明の特徴的な構成は、下ケース２の収納領域３内であって収納凹所４を回避した位
置に収納凹所の下方への突出長Ｌ１を超えた下方への突出長Ｌ２を備えた下リブ３０を設
けると共に、上ケース２０の収納領域被覆領域２１内であって下リブ３０と対応する位置
に上方へ突出した上リブ４０を備えている。
この例では、両リブ３０、４０の平面形状は、十字形（或いは、Ｘ形）となっており、
収納領域３の中央部であって収納凹所４群を回避した位置に形成されている。両リブ３０
、４０の平面形状は図示の例に限定される訳ではなく、例えばＬ字形、Ｙ字状、Ｗ字状、
Ｖ字状、直線状、ジグザグ状、曲線状等々、任意の形状とすることができる。また、両リ
ブ３０、４０の配置位置も収納領域３の中央部に限られる訳ではない。更に、個々のリブ
３０、４０は、図示のように連続している必要はなく、断続的に配置された複数の部分か
ら構成してもよい。
【００１７】
下リブ３０の突出長Ｌ２が収納凹所４の突出長Ｌ１よりも大きい結果として、同形状の
梱包ケース１を上下方向に積み重ねた場合に、上側の梱包ケース１の下面から突出する下
リブ３０の下面と下側の梱包ケース１の上面から突出する上リブ４０の上面とが当接する
ことによって、上側の梱包ケースの収納凹所４の下面と、下側の梱包ケースの上ケースの
上面（収納凸所２２）との間に十分なギャップＧを確保することが可能となる（図３）。
しかも、下リブ３０及び上リブ４０の強度を、上下方向からの通常の加圧力に対して十分
に対応できる程度に設定することにより、該加圧力を上下のリブの接触面だけに集中させ
ることが可能となり、ある梱包ケースの収納領域３及び収納領域被覆領域２１が、上下位
置関係にある他の梱包ケースからの圧力によって加圧変形して収納凹所４が変形すること
がなくなる。従って、収納凹所４内に収納された光学部品が回転、傾倒、上下動、左右動
、振動等（遊動）することによる部品の欠損、損傷、損耗や、収納凹所内壁の損耗、切削
によるゴミ発生という不具合がなくなる。
【００１８】
このような構成を備えた下リブ３０及び上リブ４０を収納凹所群の中央部に十字形に設
けることにより梱包ケース１の中央部に加わる圧力を両リブ間で支持することができるの
で、収納凹所群への圧力の印加を防止することができる。この十字形の下リブ及び上リブ
は、収納領域３の縦長、及び横長の全長に亘って形成してもよいし、図示のように全長に
亘らない位置で終端するようにしてもよい。また、梱包ケースのサイズ、形状、収納凹所
の配置等の個々的な事情の違いに応じて両リブ３０、４０の形状、位置、個数等を任意に
変更することが有効である。
【００１９】
なお、図示した本実施形態において、「下リブ３０と上リブ４０とが対応する位置関係
」とは、下ケース２上に上ケース２０を被せた時に、下リブ３０の上部開口と、上リブ４
０の下部開口とが整合した連通位置関係にて対向している状態を含む。換言すれば、下リ
ブ３０と上リブ４０とが全く同じ形状（同幅、同長さ、同形）である場合を含む。従って
、複数の梱包ケース１を整合状態で積み重ねた場合に、下側の梱包ケース１の上ケース２
０の上面から上方へ突出する上リブ４０の上面と、上側の梱包ケース１の下ケース２の下
面から下方へ突出する下リブ３０の下面とが全面的に密着状態で面接触し合うように構成
する。
【００２０】
なお、図示しないが、下リブ３０と上リブ４０とが全く同形状（同幅、同長さ、同形）
ではないが、少なくとも下側の梱包ケースの上リブ４０と、上側の梱包ケースの下リブ３
０とが対向し合う結果、該上リブ４０の少なくとも一部と該下リブ３０の少なくとも一部
とが接触し合う構成も、「下リブ３０と上リブ４０とが対応する位置関係」に含まれる。
また、上ケース２０の収納領域被覆領域２１内には収納凹所４と対応した位置関係にて
中空の光学部品収納凸所（以下、収納凸所、という）２２が設けられ、上リブ４０の上方
への突出長Ｌ３は収納凸所２２の上方への突出長Ｌ４よりも大きく設定されている。
なお、収納凹所４と収納凸所２２とによって収納空間Ｓが形成される。
従って、同形状の梱包ケース１を積み重ねた場合に、下側の梱包ケース１の上リブ４０
と上側の梱包ケース１の下リブ３０とが当接し合うことによって下側の梱包ケース上面の
収納凸所２２と上側の梱包ケース下面の収納凹所４とが接触することが回避されるばかり
でなく、上下方向から加圧力が加わった場合においても加圧力は両リブの当接面に集中す
るため、収納領域３及び収納領域被覆領域２１が撓み変形して収納凹所４内に収納された
光学部品に悪影響を及ぼすことがなくなる。
【００２１】
更に、本発明では、下ケース２の外周領域１０内に収納凹所４の下方への突出長Ｌ２を
超えた下方への突出長Ｌ５を備えた下リブ５０を設けると共に、上ケース２０の外周領域
被覆領域２５内の下リブ５０と対応する位置に上方へ突出した上リブ６０を備えている構
成も特徴的である。上リブ６０の突出長Ｌ６は収納凸所２２の上方への突出長Ｌ４よりも
大きく設定されている。
この例では、下リブ３０の突出長Ｌ２と、上リブ４０の突出長Ｌ３と、下リブ５０の突
出長Ｌ５と、上リブ６０の突出長Ｌ６とは同等である。
【００２２】
下リブ５０と上リブ６０から成る外周支持構造は、梱包ケースの外周全長に亘って連続
的に配置してもよいし、所要箇所のみに断続的に配置してもよい。図１の例では、下リブ
５０と上リブ６０から成る外周支持構造を梱包ケースの外周全長に亘って形成すると共に
、この外周支持構造の内側には凹凸嵌合による嵌合部８０（８０ａ、８０ｂ）を設けてい
る。即ち、下ケース２の外周に沿って（下リブ５０の内側に）嵌合凸部８０ａと嵌合凹部
８０ｂとが交互に配置されており、上ケース２０の外周に沿って（上リブ６０の内側に）
嵌合凸部８０ａと嵌合凹部８０ｂとが交互に配置されている。両ケース２と２０を整合状
態で接合した際に、一方の嵌合凸部８０ａに他方の嵌合凹部８０ｂが嵌合することにより
、両ケースは最外周に位置する張出し板９０同士を密着させた状態で連結される。張出し
板９０同士が密着することにより、内部の気密性が確保され、塵埃の浸入が防止される。
【００２３】
下リブ３０及び上リブ４０からなる支持構造のみによっても収納空間Ｓ内の光学部品は
加圧力から十分に保護されるが、梱包ケースの外周に沿って下リブ５０と上リブ６０を設
けて加圧力を支持するように構成することにより、収納空間Ｓの内壁の変形による光学部
品へのダメージを更に有効に防止することが可能となる。
このように複数の梱包ケースを積み重ねた際に、上側の梱包ケースの下リブ５０と下側
の梱包ケースの上リブ６０とが当接し合うことにより、それらの内側に位置する収納領域
３と収納領域被覆領域２１によって形成される収納空間Ｓは、上下方向からの加圧力から
保護されることとなる。
【００２４】
以上のように本発明の各実施形態に係る光学部品梱包ケースによれば、光学部品収納空
間Ｓを備えた収納領域３、及び収納領域被覆領域２１内の適所に収納空間Ｓよりも大きな
突出長を備えたリブ３０、４０を設けたので、梱包ケースを積み重ねたことによって収納
空間Ｓに圧力が加わろうとしても下リブ３０と上リブ４０同士が当接して緩衝作用を発揮
するので、収納空間の内壁の変形と、それによる光学部品Ａへのダメージ発生や収納方向
の変動と、収納空間内壁からのゴミ発生が防止される。
【００２５】
更に、収納空間Ｓが形成された内側の領域３、２１の外周に沿った外周領域１０、外周
領域被覆領域２５に沿って収納空間Ｓよりも大きな突出長を備えたリブ５０、６０を備え
たので、梱包ケースを積み重ねたことによって収納空間Ｓに圧力が加わろうとしても下リ
ブ５０と上リブ６０同士が当接して緩衝作用を発揮するので、収納空間の内壁の変形と、
それによる光学部品Ａへのダメージ発生や収納方向の変動と、収納空間内壁からのゴミ発
生が防止される。
【図面の簡単な説明】
【００２６】
【図１】（ａ）は本発明の一実施形態に係る光学部品梱包ケースの構成を示す平面図、（ｂ）はＸ−Ｘ断面図である。
【図２】下ケースの平面図（内面図）である。
【図３】複数の梱包ケースを積層した状態を示す断面図である。
【図４】（ａ）及び（ｂ）は従来例の構成、及び欠点を説明するための断面図である。
【符号の説明】
【００２７】
１…梱包ケース、２…下ケース、３…収納領域、４…収納凹所、１０…外周領域、２０
…上ケース、２１…収納領域被覆領域、２２…収納凸所、２５…外周領域被覆領域、３０
…下リブ、４０…上リブ、５０…下リブ、６０…上リブ、８０ａ…嵌合凸部、８０ｂ…嵌
合凹部、９０…張出し板。
【図１】
2007217027.tif 000003
【図２】
2007217027.tif 000004
【図３】
2007217027.tif 000005
【図４】
2007217027.tif 000006